(57)【要約】  ａ）ペンタエリスリトール、トリメチロールプロパン、ネオペンチルグリコールまたはそれらの組み合わせを含んでなるポリオールと、ｂ）脂肪酸部分を含んでなる高オレイン酸大豆油であって、油中の脂肪酸部分の６５％より高いＣ１８：１含有量、ならびに油中の脂肪酸部分の２０％未満の組み合わせられたＣ１８：２およびＣ１８：３の含有量を有する、高オレイン酸大豆油から誘導される脂肪酸エステルの混合物との反応から誘導されるポリオールエステルの混合物を含んでなる誘電流体が提供される。また、誘電流体を含んでなる電気装置、およびポリオールエステルの混合物の調製方法も提供される。【特許請求の範囲】
【請求項１】
ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を有する、高オレイン酸大豆油から誘導される脂肪酸エステルの混合物と
の反応から誘導されるポリオールエステルを含んでなる混合物
を含んでなる誘電流体。
【請求項２】
約２８０℃より高い発火点を有する、請求項１に記載の誘電流体。
【請求項３】
約−１０℃未満の流動点を有する、請求項２に記載の誘電流体。
【請求項４】
４０℃で約４５ｃＳＴ未満および１００℃で約１４ｃＳＴ未満の粘度を有する、請求項１に記載の誘電流体。
【請求項５】
２５℃で約０．１５％未満および１００℃で約５％未満の力率を有する、請求項１に記載の誘電流体。
【請求項６】
２５℃で１ｍｍ間隙で測定される場合、約３５ｋＶより高い誘電破壊電圧を有する、請求項１に記載の誘電流体。
【請求項７】
１１０℃で少なくとも約８時間の油安定性指数を有する、請求項１に記載の誘電流体。
【請求項８】
酸化防止剤、腐食抑制剤、金属不活性化剤および流動点降下剤からなる群から選択される少なくとも１種の添加剤をさらに含んでなる、請求項１に記載の誘電流体。
【請求項９】
植物油、藻類油、高オレイン酸大豆油以外の植物油から誘導される１種または複数種のポリオールエステル、鉱油、シリコーン流体、合成エステル、ポリアルファオレフィンまたはそれらの混合物からなる群から選択されるブレンド成分をさらに含んでなる、請求項１に記載の誘電流体。
【請求項１０】
前記ポリオールがペンタエリスリトールを含んでなる、請求項１に記載の誘電流体。
【請求項１１】
前記ポリオールがトリメチロールプロパンを含んでなる、請求項１に記載の誘電流体。
【請求項１２】
前記ポリオールがネオペンチルグリコールを含んでなる、請求項１に記載の誘電流体。
【請求項１３】
前記Ｃ１８：１含有量が前記油中の前記脂肪酸部分の７０％より高く、かつ前記組み合わせられたＣ１８：２およびＣ１８：３の含有量が前記油中の前記脂肪酸部分の１５％未満である、請求項１に記載の誘電流体。
【請求項１４】
ＯＥＣＤ  Ｇｕｉｄｅｌｉｎｅ  ３０１Ｂに従う２８日ＣＯ2放出試験の条件で「易生分解性」の基準を満たす、請求項１に記載の誘電流体。
【請求項１５】
ａ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を含んでなる、高オレイン酸大豆油を提供する工程と、
ｂ）第１の塩基触媒の存在下で、前記高オレイン酸大豆油を、１〜５個の炭素の鎖長を有する脂肪族モノアルコールと反応させ、グリセロールと脂肪酸エステルの混合物とを含んでなる反応混合物を製造する工程と、
ｃ）前記グリセロールを分離および除去する工程と、
ｄ）第２の塩基触媒の存在下で、前記脂肪酸エステルの混合物を、ペンタエリスリトール、トリメチロールプロパン、ネオペンチルグリコールまたはそれらの組み合わせを含んでなるポリオールと反応させ、ポリオールエステルの混合物を製造する工程と
を含んでなる、ポリオールエステルの混合物の調製方法。
【請求項１６】
ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を有する、高オレイン酸大豆油から誘導される脂肪酸エステルの混合物と
の反応から誘導されるポリオールエステルを含んでなる混合物
を含んでなる、誘電流体を含んでなる電気装置。
【請求項１７】
変圧器、蓄電器、流体充填伝送線路、送電線、誘導子または高圧スイッチである、請求項１６に記載の電気装置。
【請求項１８】
少なくとも１０重量％の誘電流体で含浸された誘電物質であって、セルロース紙、合成紙または不織布ウェブを含んでなり、かつ前記誘電流体が、
ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を有する、脂肪酸部分を含んでなる高オレイン酸大豆油から誘導される脂肪酸エステルの混合物と
の反応から誘導されるポリオールエステルを含んでなる混合物
を含んでなる、誘電物質。
【発明の詳細な説明】
【技術分野】
【０００１】
本出願は、２０１１年９月２３日出願の米国仮特許出願第６１／５３８３１８号明細書（代理人整理番号ＣＬ５３０７  ＵＳＰＲＶ）、２０１１年９月２３日出願の米国仮特許出願第６１／５３８３０３号明細書（代理人整理番号ＣＬ５４３１  ＵＳＰＲＶ）、２０１１年９月２３日出願の米国仮特許出願第６１／５３８２９８号明細書（代理人整理番号ＣＬ５４３２  ＵＳＰＲＶ）、２０１１年１１月１７日出願の米国仮特許出願第６１／５６０８４０号明細書（代理人整理番号ＣＬ５３０７  ＵＳＰＲＶ１）、２０１１年１１月１７日出願の米国仮特許出願第６１／５６０８４５号明細書（代理人整理番号ＣＬ５４３１  ＵＳＰＲＶ１）、および２０１１年１１月１７日出願の米国仮特許出願第６１／５６０８５０号明細書（代理人整理番号ＣＬ５４３２  ＵＳＰＲＶ１）の優先権の利益を主張する。上記米国仮特許出願は全てその全体が参照により組み込まれる。
【０００２】
ポリオールエステルの混合物を含んでなる誘電流体、ポリオールエステルの混合物の調製方法、および誘電流体を含んでなる電気装置が提供される。
【背景技術】
【０００３】
電気産業において、容易に入手可能であり、かつ一般に費用効果のよい様々な誘電流体が使用されている。例としては、変圧器、送電線および蓄電器で使用される鉱油、シリコーン流体および合成炭化水素油がある。そのような流体は、電気絶縁性であり、分解に対して耐性であり、そして電気装置において発生する熱が周囲環境へと分散することが可能であるように熱伝達中間として作用することが可能でなければならない。
【０００４】
しかしながら、現在使用されている流体にはいくつかの不備もある。これらの流体の多くは、適切な時間枠において生物分解可能であるとは考えられない。最適とはならない電気特性を有するものもある。近年、規制機関は、地面土壌および他の領域を汚染するおそれのある石油流出について、ますます懸念を抱くようになっている。生物分解可能な誘電流体は、人口集中地域または生態学的に敏感な地域において使用される変圧器などの電気装置にとって望ましい。
【０００５】
米国特許第６，１６０，１４４号明細書は、アルコールと、少なくとも８５重量％のオレイン酸および０．５〜２．５重量％のステアリン酸を含有する脂肪酸混合物との合成エステル、ならびに潤滑剤および作動油として、そして化粧品目的のための使用に関する。
【０００６】
米国特許第６，２７８，００６号明細書は、トリアシルグリセロールポリオールエステルおよび非グリセロールポリオールエステルを含有する油、ならびにそのような油の製造方法、および植物油の潤滑特性を改善する方法を開示する。
【０００７】
米国特許第７，０４８，８７５号明細書は、電気絶縁性流体として有用な高オレイン酸油組成物、電気絶縁性流体組成物、およびそれを含んでなる電気装置に関する。少なくとも７５％のオレイン酸、１０％未満のジ不飽和脂肪酸成分、３％未満のトリ不飽和脂肪酸成分、および８％未満の飽和脂肪酸成分の脂肪酸成分を含んでなる高オレイン酸トリグリセリド組成物の電気特性が開示される。いくつかの好ましい実施形態において、電気絶縁性流体は、少なくとも７５％のオレイン酸、１０％未満のリノール酸、３％未満のリノレン酸、４％未満のステアリン酸、および４％未満のパルミチン酸の脂肪酸成分を含んでなる。
【０００８】
公開カナダ国特許出願ＣＡ２，４９２，５６５号明細書は、少なくとも約−４０℃の流動点を有し、かつアルキル基がＣ5〜Ｃ22の鎖長を有する明示された化学構造の２種以上のポリオールエステルの混合物を含んでなる誘電冷却剤を開示する。ネオペンチルグリコールおよびトリメチロールプロパンが好ましいポリオールとして開示される。
【発明の概要】
【発明が解決しようとする課題】
【０００９】
良好な酸化安定性を有する生物分解可能な誘電流体が継続的に必要とされている。良好な酸化安定性を有する生物分解可能な誘電流体を含んでなる電気装置が継続的に必要とされている。良好な酸化安定性を有する生物分解可能な誘電流体を調製する方法が必要とされている。
【課題を解決するための手段】
【００１０】
本明細書には、ポリオールと、高オレイン酸大豆油から誘導される脂肪酸エステルの混合物との反応から誘導されるポリオールエステルの混合物を含んでなる誘電流体が開示される。高オレイン酸大豆油は、油中の脂肪酸部分の６５％より高いＣ１８：１含有量、ならびに油中の脂肪酸部分の２０％未満の組み合わせられたＣ１８：２およびＣ１８：３の含有量を有する。ポリオールエステルの混合物は、それらを電気装置において絶縁性流体として十分適切なものにさせる電気特性を有する。本明細書には、誘電流体を含んでなる電気装置、誘電流体で含浸される誘電物質、および誘電流体を含んでなるポリオールエステルの混合物の製造方法も記載される。
【００１１】
一実施形態において、
ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）油中の脂肪酸部分の６５％より高いＣ１８：１含有量、ならびに
ｉｉ）油中の脂肪酸部分の２０％未満の組み合わせられたＣ１８：２およびＣ１８：３の含有量
を有する、高オレイン酸大豆油から誘導される脂肪酸エステルの混合物と
の反応から誘導されるポリオールエステルを含んでなる混合物である誘電流体が記載される。
【００１２】
一実施形態において、この誘電流体は、ＯＥＣＤ  Ｇｕｉｄｅｌｉｎｅ  ３０１Ｂに従う２８日ＣＯ2放出試験の条件で「易生分解性」の基準を満たす。
【００１３】
一実施形態において、
ａ）脂肪酸部分を含んでなる高オレイン酸大豆油であって、
ｉ）油中の脂肪酸部分の６５％より高いＣ１８：１含有量、ならびに
ｉｉ）油中の脂肪酸部分の２０％未満の組み合わせられたＣ１８：２およびＣ１８：３の含有量
を含んでなる、高オレイン酸大豆油を提供する工程と、
ｂ）第１の塩基触媒の存在下で、高オレイン酸大豆油を、１〜５個の炭素の鎖長を有する脂肪族モノアルコールと反応させ、グリセロールと脂肪酸エステルの混合物とを含んでなる反応混合物を製造する工程と、
ｃ）グリセロールを除去する工程と、
ｄ）第２の塩基触媒の存在下で、脂肪酸エステルの混合物を、ペンタエリスリトール、トリメチロールプロパン、ネオペンチルグリコールまたはそれらの組み合わせを含んでなるポリオールと反応させ、ポリオールエステルの混合物を製造する工程と
を含んでなるポリオールエステルの混合物の調製方法が記載される。
【００１４】
一実施形態において、
ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）油中の脂肪酸部分の６５％より高いＣ１８：１含有量、ならびに
ｉｉ）油中の脂肪酸部分の２０％未満の組み合わせられたＣ１８：２およびＣ１８：３の含有量
を有する、高オレイン酸大豆油から誘導される脂肪酸エステルの混合物と
の反応から誘導されるポリオールエステルを含んでなる混合物を含んでなる、誘電流体を含んでなる電気装置が記載される。
【００１５】
一実施形態において、誘電物質であって、セルロース紙、合成紙または不織布ウェブを含んでなり、かつ誘電流体が、
ａ）ペンタエリスリトール、トリメチロールプロパン、ネオペンチルグリコールまたはそれらの組み合わせを含んでなるポリオールと、
ｂ）高オレイン酸大豆油が、
ｉ）油中の脂肪酸部分の６５％より高いＣ１８：１含有量、ならびに
ｉｉ）油中の脂肪酸部分の２０％未満の組み合わせられたＣ１８：２およびＣ１８：３の含有量
を有する、脂肪酸部分を含んでなる高オレイン酸大豆油から誘導される脂肪酸エステルの混合物と
の反応から誘導されるポリオールエステルを含んでなる混合物
を含んでなる、誘電物質が記載される。
【発明を実施するための形態】
【００１６】
本明細書に記載される方法、組成物および物品は、以下の用語に関して記載される。
【００１７】
本明細書で使用される場合、不定冠詞「ａ」または「ａｎ」が、本発明の方法の工程の存在の記載または説明に関して使用される場合、反対であるという記載が明白に提供されない限り、そのような不定冠詞の使用が、本方法の工程の存在を１つに限定しないことは理解されるべきである。
【００１８】
本明細書で使用される場合、量、濃度、あるいは他の値またはパラメーターが、範囲、好ましい範囲、または高い好ましい値および低い好ましい値のリストのいずれかとして記載される場合、これは、範囲が別々に開示されるかどうかにかかわらず、いずれもの高い範囲限界または好ましい値と、いずれもの低い範囲限界または好ましい値とのいずれもの組から形成される全ての範囲を具体的に開示するものとして理解されるべきである。数値の範囲が本明細書に列挙される場合、特に明記しない限り、その範囲は、それらの終点と、その範囲内の全ての整数および分数を含むように意図される。範囲を定義する場合、本発明の範囲が記述された具体的な値に限定されることは意図されない。
【００１９】
本明細書で使用される場合、「含んでなる」、「含んでなること」、「含む」、「含むこと」、「有する」、「有すること」、「含有する」または「含有すること」という用語、あるいはそれらの他のいずれかの変化形は、非排他的な包含を含むことが意図される。例えば、ある一連の要素を含んでなる組成物、混合物、プロセス、方法、物品または装置は、それらの要素にのみに必ずしも限定されるわけではなく、そのような組成物、混合物、プロセス、方法、物品または装置に関して明示されず固有のものでもない他の要素を含んでもよい。
【００２０】
本明細書に使用される場合、「ｗｔ％」という用語は重量％を意味する。
【００２１】
本発明によると、ポリオールエステルの混合物の製造のための出発材料として、高オレイン酸含有量大豆油が使用される。ポリオールエステル混合物は、誘電流体とも呼ばれる電気絶縁性流体のために有用な物理的特性を有する。本明細書には、特有の構造的ならびに物理的特徴および特性を有するポリオールエステルの混合物、そのような混合物の製造方法、ポリオールエステルの混合物を含んでなる誘電流体、ならびに誘電流体を含んでなる電気装置が記載される。
【００２２】
植物油は、通常、高パーセントの飽和および不飽和有機酸のトリグリセリドエステルを有する。オレイン酸は、ヒマワリ油、オリーブ油、ベニバナ油、カノーラ油および大豆油を含む多くの天然油においてトリグリセリドエステルとして見出されるモノ不飽和酸である。高オレイン酸大豆（ＨＯＳ）油は、参照によって全内容が本明細書に組み込まれる国際公開第９４／１１５１６号パンフレットに開示されるように高オレイン酸含有量を与えるように遺伝子組み替えされた高オレイン酸大豆種から誘導されてもよい。高オレイン酸大豆種は、オレイン酸が、油中の脂肪酸部分の６５％より高く、好ましくは油中の脂肪酸部分の７５％より高くを占める大豆種である。高オレイン酸大豆油は、参照によって全内容が本明細書に組み込まれる米国特許第５，９８１，７８１号明細書に開示される高オレイン酸大豆種から誘導されてもよい。高オレイン酸大豆油は、精製、漂白および消臭された高オレイン酸大豆油（ＲＢＤ  ＨＯＳ油）を得るための米国特許第５，９８１，７８１号明細書に記載されるような精製、漂白および消臭などのプロセス工程によって精製されてもよい。ＨＯＳ油および／またはＲＢＤ  ＨＯＳ油は、ポリオールエステルの混合物を含んでなる誘電流体を調製するための本明細書に開示される方法に使用されてもよい。一実施形態において、ＨＯＳ油は、精製、漂白および消臭された高オレイン酸大豆油を含んでなってもよい。
【００２３】
トリグリセリド組成物は、３つの脂肪酸分子に結合したグリセロール骨格である。純粋な植物油は、炭素鎖が一般に１６〜２２個の炭素原子であるが、少量のより短いおよび／またはより長い炭素鎖が存在することも可能である特定の脂肪酸のトリグリセリドである。炭素鎖が二重結合を有さない場合、飽和油であり、Ｃｎ：０と記載される。ｎは炭素原子の数である。１つの二重結合を有する炭素鎖はモノ不飽和であり、Ｃｎ：１と記載され、２つの二重結合を有する炭素鎖はＣｎ：２と記載され、そして３つの二重結合を有する炭素鎖はＣｎ：３と記載される。例として、パルミチン酸はＣ１６：０酸であり、ステアリン酸はＣ１８：０酸であり、オレイン酸はＣ１８：１酸であり、リノール酸はＣ１８：２酸であり、そしてリノレン酸はＣ１８：３酸である。この酸はトリグリセリドとして組み合わせられた状態にあり、そして油が加水分解された時、それらは酸とグリセロール成分とに分離する。
【００２４】
高オレイン酸大豆油は、油中の脂肪酸部分の６５％より高いＣ１８：１含有量、ならびに油中の脂肪酸部分の２０％未満の組み合わせられたＣ１８：２およびＣ１８：３の含有量を有する。一実施形態において、ＨＯＳ油は、脂肪酸部分の約７０％より高いＣ１８：１含有量、ならびに脂肪酸の１５％未満の組み合わせられたＣ１８：２およびＣ１８：３の含有量を有する。一実施形態において、ＨＯＳ油は、脂肪酸部分の１５％未満の組み合わせられたＣ１６：０およびＣ１８：０の含有量をさらに有する。一実施形態において、ＨＯＳ油は、脂肪酸部分の約７５％より高いＣ１８：１含有量、ならびに脂肪酸部分の１０％未満の組み合わせられたＣ１８：２およびＣ１８：３の含有量を有する。一実施形態において、ＨＯＳ油は、脂肪酸部分の約８０％より高いＣ１８：１含有量、ならびに脂肪酸の１０％未満の組み合わせられたＣ１８：２およびＣ１８：３の含有量を有する。
【００２５】
ポリオールエステルの混合物は、２つの合成工程でＨＯＳ油から得ることができる。第１の合成工程において、脂肪酸部分を含んでなるＨＯＳ油は、アルコールとの塩基触媒反応によって、グリセロールおよび脂肪酸エステルの混合物に変換される。脂肪酸エステルの混合物は、ＨＯＳ油の脂肪酸部分を含んでなる。第１の合成工程を下記のスキームＩで表す。アルコールはＲ4ＯＨとして示され、そしてＲ1、Ｒ2およびＲ3は、トリグリセリド出発材料および脂肪酸エステル生成物Ｒ1ＣＯ2Ｒ4、Ｒ2ＣＯ2Ｒ4およびＲ3ＣＯ2Ｒ4における脂肪酸部分の同一または異なるＣ15〜Ｃ21炭素鎖を表す。スキームＩにおいて、ＨＯＳ油のトリグリセリドが１つのみ出発材料として示されているが、ＨＯＳ油は、上記高オレイン酸大豆油の実施形態において記載される脂肪酸部分のＣ１６：０、Ｃ１８：０、Ｃ１８：１、Ｃ１８：２およびＣ１８：３含有量が満たされるようなトリグリセリドの混合物を含有するということであるに留意されたい。
【化１】
2014528150.tif 000002
【００２６】
第２の合成工程において、脂肪酸エステルＲ1ＣＯ2Ｒ4、Ｒ2ＣＯ2Ｒ4およびＲ3ＣＯ2Ｒ4の混合物を、グリセロール以外のポリオールと反応させ、ＨＯＳ油の脂肪酸部分を含んでなるポリオールエステルの混合物を製造する。ポリオールエステルの混合物の調製方法は、以下の通りに実行することができる。
【００２７】
第１の塩基触媒の存在下で、ＨＯＳ油を、１〜５個の炭素の鎖長を有する脂肪族モノアルコールと反応させ、グリセロールと、ＨＯＳ油の脂肪酸部分と一致する脂肪酸エステルの混合物とを含んでなる反応混合物を製造する。スキームＩにおいて、モノアルコールはＲ4ＯＨとして示され、Ｒ4は１〜５個の炭素を含有するアルキル基を表す。このエステル交換反応は、（１）過剰量のモノアルコール（ＨＯＳ油に基づき約２５〜５０重量％）の使用、ならびに（２）ＨＯＳ油の脂肪酸部分のエステル交換の間に形成されるグリセロールの分離および除去によって完了することができる。グリセロールの分離および除去は、可能な限り、この工程で得られるエステル混合物に、ＨＯＳ油のいずれのトリグリセリドも含まれないようにすることができる。グリセロールは、例えば、反応混合物を冷却すること、そしてグリセロールが反応混合物より高い密度を有するため、グリセロール底層を形成させることによって分離されてもよい。液体／液体抽出、溶媒抽出、塩析、またはエステル生成物の分解をもたらさない他の分離方法などの他の従来の分離手段を使用することもできる。分離後、グリセロール底層は、当該技術において既知のいずれかの従来方法によって物理的に除去することができる。
【００２８】
モノアルコールは、メタノール、エタノール、プロパノール異性体、ブタノール異性体、ペンタノール異性体またはそれらの組み合わせを含んでなる。一実施形態において、モノアルコールはメタノールを含んでなる。第１の塩基触媒は、炭酸ナトリウム、炭酸カリウム、炭酸リチウム、水酸化ナトリウム、水酸化カリウム、水酸化リチウム、ナトリウムメトキシドまたはそれらの組み合わせを含んでなることができる。同様の結果を得るために当業者に既知の他の塩基触媒を使用することが可能であり、そのような触媒は本発明の実施において有用であることが可能である。使用される第１の塩基触媒の量は、使用されるＨＯＳ油の量に基づき、典型的に約０．１重量％〜約１．０重量％であり、例えば、約０．１重量％〜約０．５重量％である。より多量の塩基を使用することもできるが、不必要であるか、または非経済的であり得る。一実施形態において、第１の塩基触媒は炭酸ナトリウムを含んでなる。一実施形態において、第１の塩基触媒は炭酸カリウムを含んでなる。相当するメチルエステルへの植物油のエステル交換は周知であり、そしてバイオディーゼルの製造に広く使われている。例えば、［Ｊ．Ｂｒａｚ．Ｃｈｅｍ．Ｓｏｃ．，１９９８，９，１９９−２１０］を参照のこと。
【００２９】
ＨＯＳ油を脂肪族モノアルコールと反応させるための適切な反応条件には、約２５℃〜約１５０℃、例えば、約５０℃〜約１００℃の反応温度、および約３０分〜約４時間の反応時間が含まれる。一実施形態において、約３時間以上の大気圧および還流条件下で反応を実行することができる。
【００３０】
一実施形態において、ＨＯＳ油を脂肪族モノアルコールと反応させることを多段プロセスにおいて２回以上繰り返すことができる。第１の段階は、本明細書に上記されるように実行される。第１の段階の終了時、グリセロール副産物の底層を分離および除去し、トリグリセリドと脂肪酸エステルを含んでなる混合物にさらなるメタノールおよび塩基触媒を添加し、そして反応混合物の加熱を継続し、グリセロールおよび脂肪酸エステルの混合物を含んでなる第２の反応混合物を製造する。ＨＯＳ油に含まれるトリグリセリドが脂肪酸エステルにエステル交換されるまで、グリセロールの除去、さらなるメタノールおよび塩基の添加、ならびに加熱工程を繰り返す。一実施形態において、ＨＯＳ油と脂肪族モノアルコールとの反応は２段階で実行される。２段階プロセスにおいて、使用されるＨＯＳ油の量に基づき、合計約３０重量％のモノアルコール、および合計約０．１重量％〜約１．０重量％、例えば約０．１重量％〜約０．５重量％の塩基触媒が使用される。
【００３１】
グリセロールおよび過剰量の脂肪族モノアルコールの除去の後、さらなる処理をせずに、脂肪酸エステルの得られた混合物を次のプロセス工程で使用することができる。このエステル交換反応の収量は、ほぼ定量的である。しかしながら、得られる脂肪酸エステルの混合物は、いくらかの残存するグリセロールおよび／またはグリセロールエステル（トリグリセリド）を有していてもよい。一実施形態において、１０％未満のグリセロールおよび／またはグリセロールエステルが混合物中に存在する。もう１つの実施形態において、５％未満、または３％未満、または１％未満のグリセロールおよび／またはグリセロールエステルが脂肪酸エステル混合物中に存在する。一実施形態において、脂肪酸エステルの混合物は、グリセロールおよび／またはグリセロールエステルを本質的に含まない。脂肪酸エステルの混合物の脂肪酸部分の組成は、ＨＯＳ油の脂肪酸部分の組成と一致する。
【００３２】
次いで、第２の塩基触媒の存在下で、脂肪酸エステルをポリオールと反応させ、第１の合成工程で使用される脂肪族モノアルコールおよびＨＯＳ油の脂肪酸部分を含有するポリオールエステルの混合物を含んでなる反応混合物を製造する。第２の塩基触媒は第１の触媒と同一の触媒の群から選択することができ、第１の触媒と同一であるか、または第１の触媒と異なることが可能である。ポリオールは、ペンタエリスリトール、トリメチロールプロパン、ネオペンチルグリコールまたはそれらの組み合わせを含んでなる。このエステル交換反応は、ＨＯＳ油の脂肪酸エステルのわずかな過剰量、例えば、ポリオールの全ヒドロキシル基に対して約１．１５〜約１．５当量を使用することによって、そしてポリオールとのエステル交換の間に形成されるモノアルコールを除去することによって、より高い変換率にもたらすことができる。未反応の脂肪酸エステルを蒸留によって除去されていてもよい。
【００３３】
一実施形態において、ポリオールはペンタエリスリトールを含んでなり、そして第２の合成工程は、下記のスキームＩＩで示すように表すことができる。Ｒ1、Ｒ2、Ｒ3およびＲ4は、上記で定義されたものと同一の意味を有する。スキームＩＩでは、出発混合物の３つの脂肪酸エステルのみが示されているが、混合物は、上記ＨＯＳ油の脂肪酸部分のＣ１６：０、Ｃ１８：０、Ｃ１８：１、Ｃ１８：２およびＣ１８：３含有量が満たされるような様々な脂肪酸エステルを含有するということに留意されたい。さらに、１つのみの一般化されたポリオールエステル生成物が示されているが、ＨＯＳ油の脂肪酸部分を含んでなるペンタエリスリトールエステルの混合物が製造され、そしてＲは、Ｒ1、Ｒ2およびＲ3、またはいずれかの組み合わせであることができる。
【化２】
2014528150.tif 000003
【００３４】
一実施形態において、ポリオールはトリメチロールプロパンを含んでなり、そして第２の合成工程は、下記のスキームＩＩＩで示すように表すことができる。Ｒ1、Ｒ2、Ｒ3およびＲ4は、上記で定義されたものと同一の意味を有する。スキームＩＩＩでは、出発混合物の３つの脂肪酸エステルのみが示されているが、混合物は、上記ＨＯＳ油の脂肪酸部分のＣ１６：０、Ｃ１８：０、Ｃ１８：１、Ｃ１８：２およびＣ１８：３含有量が満たされるような様々な脂肪酸エステルを含有するということに留意されたい。さらに、１つのみの一般化されたポリオールエステル生成物が示されているが、ＨＯＳ油の脂肪酸部分を含んでなるトリメチロールプロパンの混合物が製造され、そしてＲは、Ｒ1、Ｒ2およびＲ3、またはいずれかの組み合わせであることができる。
【化３】
2014528150.tif 000004
【００３５】
一実施形態において、ポリオールはネオペンチルグリコールを含んでなり、そして第２の合成工程は、下記のスキームＩＶで示すように表すことができる。Ｒ1、Ｒ2、Ｒ3およびＲ4は、上記で定義されたものと同一の意味を有する。スキームＩＶでは、出発混合物の３つの脂肪酸エステルのみが示されているが、混合物は、上記ＨＯＳ油の脂肪酸部分のＣ１６：０、Ｃ１８：０、Ｃ１８：１、Ｃ１８：２およびＣ１８：３含有量が満たされるような様々な脂肪酸エステルを含有するということに留意されたい。さらに、１つのみの一般化されたポリオールエステル生成物が示されているが、ＨＯＳ油の脂肪酸部分を含んでなるネオペンチルグリコールの混合物が製造され、そしてＲは、Ｒ1、Ｒ2およびＲ3、またはいずれかの組み合わせであることができる。
【化４】
2014528150.tif 000005
【００３６】
本発明のいずれのスキームにおいても、第２の塩基触媒は第１の塩基触媒と同一の触媒の群から選択することができ、そして第１の触媒と同一であるか、または第１の触媒と異なることが可能である。第２の塩基触媒は、例えば、水酸化ナトリウム、水酸化カリウム、水酸化リチウム、ナトリウムメトキシドまたはそれらの組み合わせを含んでなることができる。一実施形態において、第２の塩基触媒は水酸化カリウムを含んでなる。典型的に、高い反応速度を維持しながら、モノアルコール副産物の活発な沸騰およびポリオールの損失を防ぐため、反応温度は、ポリオールエステルへの変換が進行するにつれ、ゆっくり増加させる。より揮発性のモノアルコールＲ４ＯＨは、減圧下での蒸留によって除去することができる。脂肪酸エステルをポリオールと反応させるための適切な反応条件には、５ｔｏｒｒ〜約１００ｔｏｒｒの範囲の真空下で、約５０℃〜約２００℃の反応温度および約５時間〜約１５０時間の反応時間が含まれる。高い変換率でのペンタエリスリトールエステルの調製は、より高い温度およびより長い反応時間を必要とし得る。
【００３７】
モノアルコールおよび任意選択でいずれかの未反応の脂肪酸エステルの除去後、ポリオールエステルの混合物を、例えば、混合物を遠心分離して、シリカゲルの薄層に通すことによって、いずれの高沸点副産物から分離することができる。次いで、ポリオールエステルの混合物を１１０℃の完全真空（０．５ｔｏｒｒ以下）下で典型的に約１時間、乾燥して、ポリオールエステルの最終混合物を提供することができる。
【００３８】
同様に、ポリオールエステルの混合物は、例えば、限定されないが、ヒマワリ油、カノーラ油、サフラワー油、菜種油、トウモロコシ油、オリーブ油、ココヤシ油、パーム油、ヒマシ油、商品大豆油、高オレイン酸ヒマワリ油、高オレイン酸キャノーラ油およびそれらの混合物を含む他の植物油から得ることができる。ポリオールエステルの混合物の特徴、例えば、Ｃ１８：１、Ｃ１８：２、Ｃ１３：３、Ｃ１６：０、およびＣ１８：０部分などの不飽和および飽和部分の含有量は、それらが誘導される植物油の組成を反映することができる。ポリオールエステルの混合物は、例えば蒸留によって精製されていてもよく、１種または複数種のポリオールエステルを混合物から分離するか、あるいは１種または複数種のポリオールエステルに関して混合物を濃縮または希釈させる。ポリオールエステルの混合物を調製する方法の一実施形態において、このプロセスは、高オレイン酸大豆油に加えて、高オレイン酸大豆油以外の少なくとも１種の植物油を提供することをさらに含んでなる。
【００３９】
Ｃａｒｇｉｌｌ，Ｉｎｃ．から入手可能なＩＭＣ−１３０カノーラ油は、約７５％のオレイン酸含有量、ならびに約１４％のポリ不飽和脂肪酸含有量（Ｃ１８：２およびＣ１８：３）を有する。米国特許第５，７６７，３３８号明細書には、ＩＭＣ−１３０の植物および種が記載されている。また米国特許第５，８６１，１８７号明細書を参照のこと。例えば、約７７％〜約８１％または約８６％〜約９２％のオレイン酸含有量を有する高オレイン酸ヒマワリ油は、Ａ．Ｃ．Ｈｕｍｋｏ，Ｍｅｍｐｈｉｓ  ＴＮ．から入手可能である。米国特許第４，６２７，１９２号明細書には、高オレイン酸ヒマワリ油が記載されている。
【００４０】
ペンタエリスリトール、トリメチロールプロパン、ネオペンチルグリコールまたはそれらの組み合わせを含んでなるポリオールおよびＨＯＳ油から誘導される脂肪酸エステルの混合物の反応から誘導されるポリオールエステルの混合物を誘電流体として使用することができる。好ましい実施形態において、誘電流体は、少なくとも約３０重量％、または少なくとも約５０重量％、または少なくとも約７０重量％、または少なくとも約８０重量％、または少なくとも約９０重量％〜約１００重量％のＨＯＳ油の脂肪酸部分を含んでなるポリオールエステルの混合物を含んでなる。誘電流体は、誘電流体の全体の重量に基づき、約１重量％〜約７０重量％、例えば、約１重量％〜約５０重量％、または約１重量％〜３０重量％、または約１重量％〜２０重量％、または約１重量％〜１０重量％の、植物油、植物油をベースとする流体、藻類油、ＨＯＳ油以外の植物油から誘導される１種または複数種のポリオールエステル、鉱油、合成エステル、シリコン流体、ポリアルファオレフィン、またはそれらの混合物などの他の誘電流体を含んでなるブレンド成分をさらに含んでなってもよい。一実施形態において、誘電流体は、植物油、藻類油、ＨＯＳ油以外の植物油から誘導される１種または複数種のポリオールエステル、鉱油、シリコーン流体、合成エステル、ポリアルファオレフィンまたはそれらの混合物からなる群から選択されるブレンド成分をさらに含んでなる。使用可能な植物油をベースとする流体の例は、Ｅｎｖｉｒｏｔｅｍｐ（登録商標）ＦＲ３（商標）流体（Ｃｏｏｐｅｒ  Ｉｎｄｕｓｔｒｉｅｓ，Ｉｎｃ．）およびＢＩＯＴＥＭＰ（登録商標）Ｂｉｏｄｅｇｒａｄａｂｌｅ  Ｄｉｅｌｅｃｔｒｉｃ  Ｉｎｓｕｌａｔｉｎｇ  Ｆｌｕｉｄ（ＡＢＢ）である。「藻類油」という用語は、クロレラ（Ｃｈｌｏｒｅｌｌａ）、パラクロレラ（Ｐａｒａｃｈｌｏｒｅｌｌａ）、ドナリエラ（Ｄｕｎａｌｉｅｌｌａ）などの微細藻類細胞によって生成されるトリアシルグリセロールを含む脂質成分を指し、例えば、米国特許出願公開第２０１０／０３０３９５７号明細書に開示される。使用可能な高燃焼点炭化水素油の例は、Ｒ−Ｔｅｍｐ（登録商標）炭化水素油（Ｃｏｏｐｅｒ  Ｉｎｄｕｓｔｒｉｅｓ，Ｉｎｃ．）である。合成エステルの例には、鎖長に約１０個未満の炭素原子の脂肪酸部分を含有するポリオールエステルが含まれる。商業的に入手可能な使用可能な合成エステルには、商標名Ｍｉｄｅｌ（登録商標）７１３１（Ｔｈｅ  Ｍｉｃａｎｉｔｅ  ａｎｄ  Ｉｎｓｕｌａｔｏｒｓ  Ｃｏ．，Ｍａｎｃｈｅｓｔｅｒ  ＵＫ）、ＲＥＯＬＥＣ（登録商標）１３８流体（ＦＭＣ，Ｍａｎｃｈｅｓｔｅｒ，ＵＫ）、およびＥＮＶＩＲＯＴＥＭＰ  ２００耐燃焼性流体（Ｃｏｏｐｅｒ  Ｐｏｗｅｒ  Ｆｌｕｉｄ  Ｓｙｓｔｅｍｓ）で販売されるものが含まれる。
【００４１】
誘電流体は、添加剤が組成物に可溶性であり、高温度で熱安定性であり、そして誘電流体の電気特性に悪影響を及ぼさないという条件で、他の有用な添加剤、例えば、酸化防止剤、金属不活性化剤、特に銅不活性化剤、腐食抑制剤、難燃剤、熱安定剤、粘度調整剤、流動点降下剤、消泡剤、酸塩基指示薬および染料を含有することができる。一実施形態において、誘電流体は、酸化防止剤、腐食抑制剤、金属不活性化剤および流動点降下剤からなる群から選択される少なくとも１種の添加剤をさらに含んでなる。
【００４２】
有用で効率的な誘電流体にとって望ましい特性の中でも、高い誘電破壊電圧、低い散逸率、高い比熱、高い熱伝導率、低い膨張係数、低い粘度、温度に対する粘度の低い感度、低い流動点温度、低い揮発性、高い発火点および低い水分含有量である。本発明の誘電流体は、多種多様なこれらの望ましい特性、ならびに良好な酸化安定性を有する。酸化安定性は、誘電流体における不飽和度と関連があり、そして、例えば、油安定性指数を決定する標準方法を使用することによって測定することができる。本発明のポリオールエステルを調製するために使用される大豆油の高オレイン酸含有量は、開示された誘電流体に良好な酸化安定性をもたらすために有用である。加えて、本明細書に開示される誘電流体は、易生分解性である植物油から誘導されるため、生物分解可能であることが予想される。粗製ＨＯＳ油の脂肪酸から誘導されるＴＭＰエステルの混合物を含んでなる誘電流体は、ＯＥＣＤ  Ｇｕｉｄｅｌｉｎｅ  ３０１Ｂに従う２８日ＣＯ2放出試験の条件で「易生分解性」の基準を満たすことが知られている。公開カナダ国特許出願ＣＡ２５９４７６５号明細書は、トリメチロールプロパンのトリオレイン酸エステルに関して７２％の生物分解性（２８ｄ  ＢＯＤ／ＣＯＤ）を開示する。
【００４３】
本明細書に開示される誘電流体は、全て流体充填である、液体充填電力変圧器、配電変圧器、主変圧器、反応器、ならびにスイッチおよびタップ切換器などのそれらのアクセサリー装備など、本明細書に開示される流体の特性を有する電気絶縁性流体を必要とするいずれの用途での使用にも適切である。流体およびクラフト紙、クラフトボード、アラミド紙、コットン紙、アラミドボード、または複合材（すなわち、ガラス繊維／エポキシ、ナイロン、ポリエステル）などの固体絶縁体の組み合わせによって、電気絶縁性が電気装置に提供される。加えて、流体は、電気デバイスの冷却を補助する熱伝達媒体として有用である。一実施形態において、本明細書に開示される誘電流体を含んでなる電気装置は、変圧器、蓄電器、流体充填伝送線路、送電線、誘導子または高圧スイッチである。
【００４４】
一実施形態において、誘電物質は、少なくとも１０重量％の誘電流体で含浸され、誘電物質は、セルロース紙、合成紙または不織布ウェブを含んでなり、かつ誘電流体は、セルロース紙、合成紙または不織布ウェブを含んでなり、かつ誘電流体は、ａ）ペンタエリスリトール、トリメチロールプロパン、ネオペンチルグリコールまたはそれらの組み合わせを含んでなるポリオールと、ｂ）高オレイン酸大豆油が、ｉ）油中の脂肪酸部分の６５％より高いＣ１８：１含有量、ならびにｉｉ）油中の脂肪酸部分の２０％未満の組み合わせられたＣ１８：２およびＣ１８：３の含有量を有する、脂肪酸部分を含んでなる高オレイン酸大豆油から誘導される脂肪酸エステルの混合物との反応から誘導されるポリオールエステルを含んでなる混合物を含んでなる。誘電物質は、少なくとも約５重量％、または少なくとも約１０重量％、または少なくとも約１５重量％、または少なくとも約２０重量％の誘電流体で含浸することができる。誘電物質は、誘電流体で飽和するように、誘電流体で含浸することができる。「合成紙」という用語は、本明細書で使用される場合、いずれかの非セルロースまたは布紙、例えば、アラミドをベースとする紙を指す。
【００４５】
本明細書に開示される誘電流体は、鉱油および鎖長において約１０個未満の炭素原子の脂肪酸部分を含有する石油をベースとする合成エステルに対する新規代替物を提供し、−再生可能な出発物質である高オレイン酸大豆油から誘導され、かつ高い燃焼点および低い流動点を含む所望の特性を有する代替物である。それらはまた、植物油をベースとする流体よりも優れた低温度性能を提供する。一実施形態において、ポリオールエステルの混合物を含んでなる誘電流体は、約２８０℃より高い発火点を有する。一実施形態において、誘電流体は約３１０℃より高い発火点を有する。一実施形態において、誘電流体は約３２０℃より高い発火点を有する。一実施形態において、誘電流体は約−１０℃未満の流動点を有する。一実施形態において、誘電流体は約−３０℃未満の流動点を有する。一実施形態において、誘電流体は約２８０℃より高い発火点および約−１０℃未満の流動点を有する。一実施形態において、誘電流体は約３２５℃より高い燃焼点を有する。一実施形態において、誘電流体は約３７０℃より高い燃焼点を有する。一実施形態において、誘電流体は約３２５℃より高い燃焼点および約−１０℃未満の流動点を有する。一実施形態において、誘電流体は約３２５℃より高い燃焼点および約−３０℃未満の流動点を有する。一実施形態において、誘電流体は、４０℃で約４５ｃＳＴ未満および１００℃で約１４ｃＳＴ未満の粘度を有する。一実施形態において、誘電流体は、４０℃で約２５ｃＳＴ未満および１００℃で約１０ｃＳＴ未満の粘度を有する。一実施形態において、誘電流体は、２５℃で約０．１５％未満および１００℃で約５％未満の力率を有する。一実施形態において、誘電流体は、２５℃で約０．０３％未満および１００℃で約３％未満の力率を有する。一実施形態において、誘電流体は、２５℃で１ｍｍ間隙で測定される場合、約３５ｋＶより高い誘電破壊電圧を有する。一実施形態において、誘電流体は、１１０℃で少なくとも約８時間の油安定性指数を有する。一実施形態において、誘電流体は、１１０℃で少なくとも約１４時間の油安定性指数を有する。一実施形態において、誘電流体は、１１０℃で少なくとも約２５時間の油安定性指数を有する。
【００４６】
また本明細書には、電気装置を使用する方法も開示されており、この方法は、装置において、ａ）ペンタエリスリトール、トリメチロールプロパン、ネオペンチルグリコールまたはそれらの組み合わせを含んでなるポリオールと、ｂ）高オレイン酸大豆油が、ｉ）油中の脂肪酸部分の６５％より高いＣ１８：１含有量、ならびにｉｉ）油中の脂肪酸部分の２０％未満の組み合わせられたＣ１８：２およびＣ１８：３の含有量を有する、脂肪酸部分を含んでなる高オレイン酸大豆油から誘導される脂肪酸エステルの混合物との反応から誘導されるポリオールエステルを含んでなる混合物誘電流体を使用することを含んでなる。
【００４７】
本明細書に開示される誘電流体は、他の、より望ましくない誘電流体を組み込む既存の電気装備を逆充填するために使用されてもよい。これらの他の流体は、当該技術において既知のいずれかの適切な方法を使用して、本明細書に開示されるようなポリオールエステルの混合物を含んでなる誘電流体で置き換えられてもよい。
【実施例】
【００４８】
本明細書に記載される方法は、以下の実施例において例示される。上記説明およびこれらの実施例から、当業者は本発明の基本的特徴を確認することができ、そしてそれらの精神および範囲から逸脱することなく、様々な用途および条件に適応させるために、本発明に様々な変更および修正を実施することができる。
【００４９】
以下の材料を実施例で使用した。全ての市販の試薬は、受け取られたそのままで使用した。シリカゲルは、使用前に約２００ｔｏｒｒの真空下で３日間、２００℃の真空オーブンで乾燥した。
【００５０】
以下の脂肪酸：パルミチン酸（６．５重量％）、ステアリン酸（４．１５重量％）、オレイン酸（７３．９重量％）、リノール酸（８．７７重量％）およびリノレン酸（２．９４重量％）のトリグリセリドを含有する精製、漂白および消臭された高オレイン酸大豆油（ＲＢＤ  ＨＯＳ油）は、米国特許第５，９８１，７８１号明細書に従って得られた。パルミチン酸（６．５重量％）、ステアリン酸（４．１重量％）、オレイン酸（７４．８重量％）、リノール酸（７．６重量％）およびリノレン酸（２．８重量％）を含有する粗製高オレイン酸大豆油（ＨＯＳ油）は、米国特許第５，９８１，７８１号明細書に従って得られた。以下：パルミチン酸（１０．３重量％）、ステアリン酸（４．６重量％）、オレイン酸（２２．７重量％）、リノール酸（５３．５重量％）およびリノレン酸（７．２重量％）の脂肪酸のトリグリセリドを含有する商品Ｍａｒｋｅｔ  Ｐａｎｔｒｙ（商標）の商標名の大豆油はＴａｒｇｅｔ店から購入された。
【００５１】
メタノール（９９．８％）、炭酸ナトリウム（９９．５％）、水酸化カリウム（＞８５％）、ヘキサン（９９．９％）、シリカゲル６０および炭酸カリウム（９９．９％）は、ＥＭＤ  Ｃｈｅｍｉｃａｌｓ  Ｉｎｃ．（Ｇｉｂｂｓｔｏｗｎ，ＮＪ）から得た。ネオペンチルグリコール（９９％）、トリメチロールプロパン（９７％）およびペンタエリスリトール（９８％）は、Ａｌｄｒｉｃｈ  Ｃｏｍｐａｎｙ（Ｍｉｌｗａｕｋｅｅ，ＷＩ）から得た。
【００５２】
以下の略語を使用する。「ＧＣ」はガスクロマトグラフィーであり、「Ｃ」はセ氏であり、「ｍｍ」はミリメートルであり、「ｍＬ」はミリリットルであり、「Ｌ」はリットルであり、「ｍｉｎ」は分であり、「ｃｍ」はセンチメートルであり、「ｇ」はグラムであり、「ｍｇ」はミリグラムであり、「ｈ」は時間であり、「ｔｅｍｐ」または「Ｔ」は温度であり、「Ｃｏｍｐ．Ｘ．」は比較例であり、「ＩＤ」は内部直径であり、「ＮＰＧ」はネオペンチルグリコールであり、「ＴＭＰ」はトリメチロールプロパンであり、そして「ＰＥ」はペンタエリスリトールである。「ＡＳＴＭ」は米国材料試験協会（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）を表し、材料評価の標準プロトコルを提供する。「ＡＯＣＳ」は米国油脂化学協会（Ａｍｅｒｉｃａｎ  Ｏｉｌ  Ｃｈｅｍｉｓｔｓ’Ｓｏｃｉｅｔｙ）を表し、材料評価の標準方法を提供する。「ＯＥＣＤ」は経済協力開発機構（Ｏｒｇａｎｉｚａｔｉｏｎ  ｆｏｒ  Ｅｃｏｎｏｍｉｃ  Ｃｏ−ｏｐｅｒａｔｉｏｎ  ａｎｄ  Ｄｅｖｅｌｏｐｍｅｎｔ）を表す。
【００５３】
メチルエステルは、長さ３０ｍ、直径３２０μｍ、膜厚０．３０μｍのＯｍｅｇａｗａｘ（商標）３２０カラムを備えたＡｇｉｌｅｎｔ  ６８９０  Ｓｅｒｉｅｓ  ＧＣを使用して分析した。オーブンランプは初期温度１６０℃を５分間保持し、次いで、２℃／分で２２０Ｃまで増加させて１０分間保持し、次いで、２０℃／分で２４０℃まで増加させて５分間保持する。搬送ガスはヘリウムであった。インジェクションポートは１１．５５ｐｓｉの圧力で２５０℃であり、分割比は５０：１、分流量は７７．８ｍＬ／分、全流量は８２．３ｍＬ／分であった。初期流量は１１．５６ｐｓｉで１．６ｍｌ／分であった。使用される炎イオン化検出器は２７０℃に設定され、水素流量は３５ｍＬ／分、空気流量は４００ｍＬ／分、モードコンスタントカラム＋メイクアップ流量、組み合わせられた流量は３２．０、メイクアップ気体はヘリウムであった。Ｎｕ−Ｃｈｅｋ  Ｐｒｅｐ，ＩＮＣ．（Ｅｌｙｓｉａｎ，ＭＮ）からの参照標準ＧＬＣ−４６１（３２の異なるメチルエステルＣ４：０〜Ｃ２４：１の混合物）を使用し、メチルエステルの保持時間を識別した。
【００５４】
ポリオールエステル混合物の特性は、以下の試験方法に従って評価した。
【００５５】
表1:  測定された特性および使用された試験方法
特性 試験方法
発火点                              ASTM D-92
燃焼点                              ASTM D-92
流動点                              ASTM D-97
油中の水分                          ASTM D-1533
酸価                                ASTM D-974
誘電破壊電圧                        ASTM D-1816
力率                                ASTM D-924
抵抗                                ASTM D-1169
粘度                                ASTM D-445 または28mm DIN同心円筒形状の
TR2000回転式レオメーターを用いて得られた
油安定性指数                        AOCS Cd 12b-92 (1997)
【００５６】
実施例１
ＲＢＤ  ＨＯＳ油の脂肪酸部分を含んでなるメチルエステルの混合物の調製
オーバーヘッド撹拌器、冷却器および窒素ブランケットを備えた２Ｌフラスコに、ＲＢＤ  ＨＯＳ油（１００７ｇ）、メタノール（２４９ｇ）および炭酸ナトリウム（２ｇ）を投入した。反応混合物を３６０ｒｐｍで攪拌しながら、６．５時間加熱し、還流させた（最終温度は約７６℃であった）。室温まで冷却後、反応混合物を分液ロートに移し、そして一晩室温で静置した。グリセロールを含有する底層（１７０ｇ）が得られ、これを除去した。上層は、減圧（１ｔｏｒｒ）下で４０分間、６０℃で蒸留し、残存するメタノール（５６．７ｇ）を除去した。分液ロート内の追加のグリセロール層（約１ｇ）の除去後、メチルエステルの混合物（１００６ｇ）が残渣として得られた。ＧＣ分析によると、これには、パルミチン酸メチル（６．４重量％）、ステアリン酸メチル（４．０重量％）、オレイン酸メチル（７３．６重量％）、リノール酸メチル（８．６重量％）、およびリノレン酸メチル（２．７重量％）が含まれることが示された。
【００５７】
実施例２
粗製ＨＯＳ油の脂肪酸部分を含んでなるメチルエステルの混合物の調製
機械式攪拌器、還流冷却器、内部熱電対、窒素インレットおよびドレインを備えた２０リットルのジャケット型Ｐｙｒｅｘ（登録商標）反応器を、一晩窒素掃去することによって乾燥させた。この反応器に、粗製ＨＯＳ油（１２．０ｋｇ）、メタノール（３．０ｋｇ）および炭酸カリウム（４５ｇ）を投入した。この混合物を３時間窒素下で加熱し、還流させた。反応混合物を２５℃まで冷却した。グリセロール（１．９ｋｇ）を含有する底層をドレインから除去した。上層を含有する反応器に、メタノール（４００ｇ）および炭酸カリウム（２．０ｇ）を投入した。この混合物を２時間加熱し、還流させた。室温まで冷却後、反応混合物の上層を２２リットルＲＢフラスコに移した。残渣メタノールを真空（２００〜５ｔｏｒｒ）下、５０℃で留去し、粗製メチルエステルの混合物１１．４８ｋｇを得た。ＧＣ分析によると、これには、パルミチン酸メチル（６．５重量％）、ステアリン酸メチル（３．９重量％）、オレイン酸メチル（７６．１重量％）、リノール酸メチル（７．０重量％）、およびリノレン酸メチル（２．８重量％）が含まれることが示された。
【００５８】
実施例３
ＲＢＤ  ＨＯＳ油の脂肪酸部分を含んでなるメチルエステルの混合物からのＮＰＧエステルの混合物の調製
実施例１からのＲＢＤ  ＨＯＳ油の脂肪酸部分を含んでなるメチルエステルの混合物（９１７ｇ）、ＫＯＨ（２．０ｇ）およびネオペンチルグリコール（１３９ｇ）を、２ｔｏｒｒの真空下で３時間４０〜５０℃まで、次いで、１時間５０〜１００℃まで、次いで３時間１００〜１６０℃まで加熱した。加熱の間、沸騰が失速する間、温度を徐々に増加させた。反応の間、合計約８６．２ｇのＭｅＯＨが液体窒素トラップに回収された。反応混合物を３０ｍｔｏｒｒの真空下で２１０℃まで蒸留し、蒸留物（９５ｇ）として未反応のメチルエステルを回収した。蒸留残渣を遠心分離し、そして得られた液体をシリカゲルカラム［２インチ（外径）×４インチ］に通し、生成物（７３２．６ｇ）としてＮＰＧエステルの混合物を得た。遠心分離機からの固体をヘキサン（２×１５０ｍＬ）で抽出した。シリカゲルカラムを、組み合わせたヘキサン抽出物および追加のヘキサン（３００ｍＬ）で洗浄した。組み合わせたヘキサン洗浄液を濃縮し、真空下で乾燥させ、生成物（９３．５ｇ）として追加量のＮＰＧエステルを得た。生成物の1Ｈ  ＮＭＲ分析によって、ネオペンチルグリコールおよびＲＢＤ  ＨＯＳ油の脂肪酸部分を含んでなるエステルの混合物として識別されることが確認された。組成物は、１％のＮＰＧモノエステル、９７％のＮＰＧジエステルおよび２％のトリグリセリド（ＨＯＳ油）を含んでなることがわかった。
【００５９】
実施例４
粗製ＨＯＳ油の脂肪酸部分を含んでなるメチルエステルの混合物からのＮＰＧエステルの混合物の調製
実施例２からの粗製ＨＯＳ油の脂肪酸部分を含んでなるメチルエステルの混合物（１１９６ｇ）、ＫＯＨ（２．３８ｇ）およびネオペンチルグリコール（１７８ｇ）を、３０〜５ｔｏｒｒの真空下で１４時間５０〜２０５℃まで加熱した。未反応のメチルエステル（１６３ｇ）は、約１５ｍＴｏｒｒの減圧蒸留によって回収された。蒸留残渣を遠心分離し、そして得られた液体をシリカゲルカラム（２２ｇシリカゲル）に通し、１時間２０ｍｔｏｒｒの真空下で１１０℃で乾燥後、生成物（９１０ｇ）としてＮＰＧエステルの混合物を得た。遠心分離機からの固体をヘキサン（２×１５０ｍＬ）で抽出した。シリカゲルカラムを、組み合わせたヘキサン抽出物および追加のヘキサン（３００ｍＬ）で洗浄した。組み合わせたヘキサン洗浄液を濃縮し、真空下で乾燥させ、追加量のＮＰＧエステル生成物（１７０ｇ）を得た。生成物の1Ｈ  ＮＭＲ分析によって、ネオペンチルグリコールおよび粗製ＨＯＳ油の脂肪酸部分を含んでなるエステルの混合物として識別されることが確認された。組成物は、２％のＮＰＧモノエステル、９３％のＮＰＧジエステルおよび５％のトリグリセリド（ＨＯＳ油）を含んでなることがわかった。
【００６０】
表１に記載される方法を使用して、電気的および物理的特性を測定することによって、誘電流体として生成物を使用することの適合性を評価した。結果を表２に示す。
【００６１】
実施例５
ＲＢＤ  ＨＯＳ油の脂肪酸部分を含んでなるメチルエステルの混合物からのＴＭＰエステルの混合物の調製
実施例１からのＲＢＤ  ＨＯＳ油の脂肪酸部分を含んでなるメチルエステルの混合物（１０９４ｇ）、ＫＯＨ（２．２ｇ）およびトリメチロールプロパン（１４０ｇ）を、１０ｔｏｒｒで６時間９５℃まで、次いで、さらに４．５時間１５４℃まで加熱した。追加のＫＯＨ（０．４７ｇ）を添加し、そして混合物を０．８ｔｏｒｒでさらに８時間、１２３〜１５０℃で加熱した。加熱の間、沸騰が失速する間、温度を徐々に増加させた。合計約８６．２ｇのＭｅＯＨが液体窒素トラップから回収された。反応混合物を４５ｍｔｏｒｒの真空下で２３９℃まで蒸留した。未反応のメチルエステルを蒸留物（５７．８ｇ）として回収した。蒸留残渣を遠心分離し、そして得られた液体をシリカゲルカラム（約１４ｇ）に通し、生成物（９７０ｇ）としてＴＭＰエステルの混合物を得た。遠心分離機からの固体をヘキサンで抽出した。シリカゲルカラムを、組み合わせたヘキサン抽出物および追加のヘキサン（３００ｍＬ）で洗浄した。組み合わせたヘキサン洗浄液を濃縮し、真空下で乾燥させ、追加量のＴＭＰエステル生成物（７５ｇ）を得た。
【００６２】
得られた生成物の一部（８４７ｇ）を、ブリーチングクレーグレードＦ−１１５ＦＦ（ＢＡＳＦ製、８．８ｇ）およびＣｅｌｉｔｅ（２．２ｇ）と混合し、そして室温で１時間真空（１ｔｏｒｒ）下で撹拌し、次いで、０．５ｔｏｒｒ下で１時間、１１０ｏＣまで加熱した。この混合物を室温まで冷却し、そして１／２インチシリカゲルカラム（ＩＤ  １．５インチ）に通した。評価の前に、回収した生成物を０．１ｔｏｒｒ下で１時間１１０℃まで加熱した。生成物の1Ｈ  ＮＭＲ分析によって、トリメチロールプロパンおよびＲＢＤ  ＨＯＳ油の脂肪酸部分を含んでなるエステルの混合物として識別されることが確認された。組成物は、２％のＴＭＰジエステル、９０％のＴＭＰトリエステルおよび８％のトリグリセリド（ＨＯＳ油）を含んでなることがわかった。
【００６３】
表１に記載される方法を使用して、電気的および物理的特性を測定することによって、誘電流体として生成物を使用することの適合性を評価した。結果を表２に示す。
【００６４】
実施例６
粗製ＨＯＳ油の脂肪酸部分を含んでなるメチルエステルの混合物からのＴＭＰエステルの混合物の調製
実施例２からの粗製ＨＯＳ油の脂肪酸部分を含んでなるメチルエステルの混合物（１２１３ｇ）、ＫＯＨ（２．４ｇ）およびトリメチロールプロパン（１５６ｇ）を、１０ｔｏｒｒで２時間１０３℃まで加熱した。次いで、圧力を１５ｔｏｒｒまで低下させ、そして反応混合物を７．５時間１９３℃まで加熱した。次いで、反応混合物を４０ｍｔｏｒｒの真空下で蒸留し、蒸留物として未反応のメチルエステルを回収した。蒸留残渣を遠心分離し、そして得られた液体をシリカゲルカラム（１８ｇシリカゲル）に通し、油が得られ、これをさらに３０ｍｔｏｒｒ、１１０℃で１時間乾燥させ、生成物（９６２ｇ）としてＴＭＰエステルの混合物を得た。遠心分離機からの固体をヘキサンで抽出した。シリカゲルカラムを、組み合わせたヘキサン抽出物および追加のヘキサンで洗浄した。組み合わせたヘキサン洗浄液を濃縮し、乾燥させ、追加量の生成物（１０８ｇ）を得た。生成物の1Ｈ  ＮＭＲ分析によって、トリメチロールプロパンおよび粗製ＨＯＳ油の脂肪酸部分を含んでなるエステルの混合物として識別されることが確認された。組成物は、１．４％のＴＭＰジエステル、９７．４％のＴＭＰトリエステルおよび１．２％のトリグリセリド（ＨＯＳ油）を含んでなることがわかった。
【００６５】
表１に記載される方法を使用して、電気的および物理的特性を測定することによって、誘電流体として生成物を使用することの適合性を評価した。結果を表２に示す。
【００６６】
生物分解性試験のために、粗製ＨＯＳ油の脂肪酸部分を含んでなるメチルエステルの混合物から、ＴＭＰエステルの混合物のもう１つの試料を調製した。この試料は、実施例６のＴＭＰエステル混合物と同様に調製し、1Ｈ  ＮＭＲ分析によって、この組成物は、９０．２％のＴＭＰトリエステル、２％のＴＭＰジエステルおよび７．８％のトリグリセリド（ＨＯＳ油）を含んでなることがわかった。
【００６７】
ＴＭＰエステル混合物の易生分解性は、１９９２年７月１７日付け版のＯＥＣＤ  Ｇｕｉｄｅｌｉｎｅ  ３０１Ｂに従う「易生分解性」のための２８日ＣＯ2評価試験を使用して評価した。使用される生体系は、Ｅｌｋｔｏｎ，Ｍａｒｙｌａｎｄ（ＵＳＡ）Ｐｕｂｌｉｃｌｙ−Ｏｗｎｅｄ  Ｔｒｅａｔｍｅｎｔ  Ｗｏｒｋｓからの二次活性スラッジであった。ＴＭＰエステル混合物は、試験条件で「易生分解性」の基準を満たすことがわかった。この試験材料は、７４％の最大生分解性を達成した。６０％より高い生分解性は、１０％より高い生分解の１０日以内に達成された。
【００６８】
実施例７
ＲＢＤ  ＨＯＳ油の脂肪酸部分を含んでなるメチルエステルの混合物からのＰＥエステルの混合物の調製
実施例１からのＲＢＤ  ＨＯＳ油の脂肪酸部分を含んでなるメチルエステルの混合物（１００．６ｇ）、ＫＯＨ（０．２ｇ）およびペンタエリスリトール（９．８ｇ）を、５ｔｏｒｒで１．５時間８０℃まで加熱し、１．５時間８０℃で保持し、次いで、４．５時間１６０℃まで加熱した。次いで、反応混合物を１８ｍｔｏｒｒの真空下で蒸留し、蒸留物として未反応のメチルエステルを回収した。蒸留残渣を遠心分離し、そして得られた液体を短いシリカゲルカラムに通し、生成物（６０．４ｇ）としてＰＥエステルの混合物を得た。遠心分離機からの固体をヘキサンで抽出した。シリカゲルカラムを、組み合わせたヘキサン抽出物および追加のヘキサンで洗浄した。組み合わせたヘキサン洗浄液を濃縮し、乾燥させ、追加量のＰＥエステル生成物（２１．６ｇ）を得た。生成物の1Ｈ  ＮＭＲ分析によって、ペンタエリスリトールおよびＲＢＤ  ＨＯＳ油の脂肪酸部分を含んでなるエステルの混合物として識別されることが確認された。組成物は、１．５％のＰＥトリエステル、９４％のＰＥテトラエステルおよび４．５％のトリグリセリド（ＨＯＳ油）を含んでなることがわかった。
【００６９】
実施例８
粗製ＨＯＳ油の脂肪酸部分を含んでなるメチルエステルの混合物からのＰＥエステルの混合物の調製
実施例２からの粗製ＨＯＳ油の脂肪酸部分を含んでなるメチルエステルの混合物（１１９０ｇ）、ＫＯＨ（２．４１ｇ）およびペンタエリスリトール（１１６ｇ）を、１〜１００ｔｏｒｒで６５時間８０〜２０５℃で加熱した。さらなるＫＯＨ（１．３ｇ）を添加し、そして反応混合物を５ｔｏｒｒで３４時間２００〜２２０℃でさらに加熱した。過剰量のメチルエステルは、１ｔｏｒｒの真空下、２３５〜３３０℃のポット温度での蒸留によって除去した。蒸留残渣を遠心分離し、そして得られた液体をシリカゲルカラム（１４ｇ）に通し、次いで、０．１ｔｏｒｒの真空下、１１０℃で１時間乾燥させ、生成物（９３０ｇ）としてＰＥエステルの混合物を得た。生成物の1Ｈ  ＮＭＲ分析によって、ペンタエリスリトールおよび粗製ＨＯＳ油の脂肪酸部分を含んでなるエステルの混合物として識別されることが確認された。組成物は、４％のＰＥトリエステル、９０％のＰＥテトラエステルおよび６％のトリグリセリド（ＨＯＳ油）を含んでなることがわかった。
【００７０】
表１に記載される方法を使用して、電気的および物理的特性を測定することによって、誘電流体として生成物を使用することの適合性を評価した。結果を表２に示す。
【００７１】
比較例Ａ
商品大豆油の脂肪酸部分を含んでなるメチルエステルの混合物の調製
オーバーヘッド撹拌器、冷却器および窒素ブランケットを備えた２Ｌフラスコに、Ｍａｒｋｅｔ  Ｐａｎｔｒｙ（商標）の商標名の大豆油（１００９ｇ）、メタノール（２５０ｇ）および炭酸ナトリウム（３．１ｇ）を投入した。反応混合物を３．５時間加熱し、還流させた。グリセロールを含有する底層が得られ、これを除去し、そしてさらなるメタノール（５０ｇ）および炭酸カリウム（０．２ｇ）を添加した。反応混合物をさらに３．５時間還流させた。反応混合物を室温まで冷却後、過剰量のメタノールを１時間２５℃で減圧蒸留によって除去した。生成物層をシリカの薄層を通してろ過し、商品大豆油の脂肪酸部分を含んでなるメチルエステルの混合物（９６８ｇ）を得た。
【００７２】
比較例Ｂ
商品大豆油の脂肪酸部分を含んでなるメチルエステルの混合物からのＴＭＰエステルの混合物の調製
比較例Ａからの商品大豆油の脂肪酸部分を含んでなるメチルエステルの混合物（９６８ｇ）、トリメチロールプロパン（９７．９ｇ）およびナトリウムメトキシド（１．８ｇ）を、５ｔｏｒｒの真空で１時間で６８℃まで加熱した。次いで、反応温度を６時間１８５℃までゆっくり増加させた。過剰量のメチルエステルは、真空（約２０ｍｔｏｒｒ）下、２２５℃のポット温度での蒸留によって除去した。蒸留残渣を遠心分離し、そして得られた液体をシリカゲルカラム（１４ｇ）に通し、次いで、０．１ｔｏｒｒの真空下、１１０℃で１時間乾燥させ、生成物（５９７ｇ）としてＴＭＰエステルの混合物を得た。生成物の1Ｈ  ＮＭＲ分析によって、トリメチロールプロパンおよび商品大豆油の脂肪酸部分を含んでなるエステルの混合物として識別されることが確認された。
【００７３】
表１に記載される方法を使用して、電気的および物理的特性を測定することによって、誘電流体として生成物を使用することの適合性を評価した。結果を表２に示す。
【００７４】
実施例４、実施例５、実施例６、実施例８および比較例Ｂで得られるポリオールエステル混合物は、表１で記載される方法を使用して評価した。商品大豆油から調製される植物油をベースとする流体であるＥｎｖｉｒｏｔｅｍｐ（登録商標）ＦＲ３（商標）流体（Ｃｏｏｐｅｒ  Ｉｎｄｕｓｔｒｉｅｓ，Ｉｎｃ．）、ならびにペンタエリスリトールとの混合エステルとしての直鎖および分枝鎖Ｃ５〜Ｃ１０脂肪酸の合成エステル組成物であるＭｉｄｅｌ（登録商標）７１３１（Ｔｈｅ  Ｍｉｃａｎｉｔｅ  ａｎｄ  Ｉｎｓｕｌａｔｏｒｓ  Ｃｏ．，Ｍａｎｃｈｅｓｔｅｒ  ＵＫ）の試料も同方法を使用して評価した。データを表２に示す。
【００７５】
表2: 測定された誘電流体特性の要約
2014528150.tif 000006
*  TR 2000回転式レオメーターによって測定
【００７６】
表２のデータは、実施例のポリオールエステルの混合物は、誘電流体としての使用のために望ましい特性を有することを示す。実施例の流体の発火点および燃焼点は適切に高く、そして合成エステル組成物Ｍｉｄｅｌ（登録商標）７１３１よりも著しく高い。またそれらは、Ｍｉｄｅｌ（登録商標）７１３１および植物油をベースとするＥｎｖｉｒｏｔｅｍｐ（登録商標）ＦＲ３（商標）よりも著しく低い水分含有量を有する。比較例Ｂのポリオールエステル（トリメチロールプロパンおよび商品大豆油から誘導される脂肪酸部分のメチルエステルの混合物の反応から誘導される）との比較において、実施例５の類似のポリオールエステル（トリメチロールプロパンおよび高オレイン酸大豆油から誘導される脂肪酸部分のメチルエステルの混合物の反応から誘導される）は、２５℃で測定される場合および１００℃で測定される場合の両方の力率に関して、より良好な電気特性を示す。比較例Ｂの流体の極めて高い力率は、誘電流体としてのその使用を排除する。対照的に、実施例５の流体の特徴は、誘電流体としての使用のために適切であることを示す。酸化安定性を反映するＯＳＩ値に関して、Ｅｎｖｉｒｏｔｅｍｐ（登録商標）ＦＲ３（商標）およびＭｉｄｅｌ（登録商標）７１３１流体はともに、添加された酸化防止剤を含有するため、より意味のある比較は、これらの材料は添加された酸化防止剤を含有しないため、実施例４〜８および比較例Ｂの誘電流体間である。実施例４〜８の流体は、比較例Ｂよりも著しく長い誘導期を示し、より高い含有量の不飽和部分によって提供されるより高い酸化安定性を反映する。
【国際調査報告】
2014528150.tif 000007
2014528150.tif 000008